(57)【特許請求の範囲】
【請求項１】
光を発する光源と、光透過性材料で形成されており、前記光源からの光を入射し、内部の光を出射する光透過部とを備え、前記光透過部は、前記光源からの光を入射する第１の面と、その第１の面と実質上垂直であり、光を出射する第２の面とを有し、前記第２の面は、断面多角形状の角柱が複数個配列されたプリズム群から構成され、前記各角柱の稜線の全部または一部は、互いに、実質上同心円の円弧の関係にあり、前記各角柱の稜線は、少なくとも２点以上の、異なる中心の同心円の円弧の関係にあることを特徴とする平面照明装置。
【請求項２】
前記光透過部は、前記第１の面に実質上垂直、かつ、前記第２の面と実質上対向する位置に配置された第３の面を有し、その第３の面の全部または一部は、互いに、実質上同心円の複数の円弧を稜線とする、複数個の断面多角形状の角柱が配列されたプリズム群から構成され、前記光透過部内部の光を、実質上前記第２の面側に反射し、前記第３の面の各角柱の高さは、前記光源からの距離に基づいた高さであり、前記第３の面の各角柱の稜線の法線は、前記第２の面の各角柱の稜線の対応する法線に対して、実質上垂直であり、前記第３の面の各角柱の稜線は、少なくとも２点以上の、異なる中心の同心円の円弧の関係にあることを特徴とする請求項１記載の平面照明装置。
【請求項３】
前記光透過部は、前記第２の面の前記プリズム群の周辺に、その周辺部に届いた光を、前記光透過部内部に反射する平面反射部を備えたことを特徴とする請求項１に記載の平面照明装置。
【請求項４】
前記光透過部は、前記第２の面の前記プリズム群、前記第３の面の前記プリズム群の少なくともいずれかの周辺に、その周辺部に届いた光を、前記光透過部内部に反射する平面反射部を備えたことを特徴とする請求項２に記載の平面照明装置。
【請求項５】
前記第２の面の各角柱の斜面は、光学的に鏡面とみなすことができる光沢面であることを特徴とする請求項１又は３に記載の平面照明装置。
【請求項６】
前記第２の面および前記第３の面の各角柱の斜面は、光学的に鏡面とみなすことができる光沢面であることを特徴とする請求項２又は４に記載の平面照明装置。
【請求項７】
前記平面反射部は、光学的に鏡面とみなすことができる光沢面であることを特徴とする請求項３又は４記載の平面照明装置。
【発明の詳細な説明】
【０００１】
【発明の属する技術分野】
本発明は、液晶画像表示装置などに用いられる平面照明装置に関するものである。
【０００２】
【従来の技術】
近年、液晶画像表示装置は、携帯性の向上のために小型軽量化が進められている。また、使用形態の多様化から、液晶画像表示装置は、屋外などの外光の強い環境下での使用も求められており、そのため、画像を認識しやすくするように、明るい照明が求められ、さらには、携帯電源の小型軽量化のために、その照明の小電力化が求められている。このような、液晶画像表示装置に用いられる平面照明装置は、以上の要求を満たすために改良されたものが提案されている。
【０００３】
以下に、従来の一般的な平面照明装置について、図面を参照しながら説明する。図８に、従来の平面照明装置の構成をあらわす斜視図を示す。図８において、１は光源、２は導光体、３は反射鏡、４は導光体２の側面であり、光源１からの光はその側面４に入射する。以下４を入射側面とする。５は導光体２の光反射側の面、６は光反射側の面５に形成されたプリズムの集合体から構成される光反射側プリズム群であり、光を拡散反射させるために、ブラスト加工等によりプリズムの面は、拡散粗面になっている。７は導光体２の光出射側の面、８ｂは光出射側の面７に形成されたプリズムの集合体から構成される直線状光出射側プリズム群、９は細かな凹凸形状をエンボス加工等により形成した拡散シート、１０はＰＥＴフィルム等の上に紫外線硬化樹脂を用いて直線状の頂稜をもつプリズムを形成したプリズムシート、１１は直線状光出射側プリスム群８ｂの各プリズムの稜線である。
【０００４】
次に、上述した従来の平面照明装置の動作を説明する。光源１が光を出射し、その光は、直接、または、反射鏡３により反射されて、入射側面４から導光体２に入射する。その光は、導光体２の中を進み、直接、または、全反射等を繰り返しながら、光反射側プリズム群６の拡散反射面で拡散反射されて、進行方向を変更され、光出射側の面７へ到達し、直線状光出射側プリズム群８ｂの屈折による集光作用によって集光されて、導光体２を出射する。
【０００５】
ところで、液晶パネルの視野角度が、導光体２からの出射光の出射角度より狭いため、導光体２からの出射光の一部は、利用されずに無駄になっていた。また、導光体２からの出射光の出射角度の広さよりも、その出射光の特定方向の輝度が高いことが望まれる、屋外での使用を想定した液晶画像表示装置に用いられる平面照明装置では、その出射光の輝度の高さを十分高くすることができなかった。
【０００６】
次に、従来の平面照明装置の導光体２の直線状光出射側プリズム群８ｂについて、図面を参照しながら説明する。直線状光出射側プリズム群８ｂは、プリズムシート１０のもつ集光効果と同様に、集光効果をもつものである。そのプリズムシート１０は、円柱状の金型材料を切削加工して製造した金型を用いて、紫外線硬化樹脂をプリズムの集合体状に形成されたものであり、各プリズムの頂角近傍を含めて、高精度に加工されたものである。このように、各プリズムの頂角が実質上尖頂となっており、その頂角近傍の平面が鏡面のような光沢面であるので、プリズムシート１０は、集光効果が大きいものとなる。それに対して、直線状光出射側プリズム群８ｂの各プリズムの頂角部分が丸いために、従来の平面照明装置の導光体２の直線状光出射側プリズム群８ｂの集光効果は、プリズムシート１０の集光効果の約５０％前後となっていた。その直線状光出射側プリズム群８ｂは、図９を用いて説明される金型を利用して作成される。図９は、直線状光出射側プリズム群８ｂの製造に用いられる金型を加工する場合の一般的な加工法を示している。このように、直線状の稜線を持つ、直線状光出射側プリズム群８ｂの基となる金型は、板状の金型材料を研削加工することによって加工されるために、研削に用いられる砥石の先端が丸い、または研削中に丸くなるという影響を受けて、プリズムの頂角部分が丸くなる。したがって、このような金型を用いて製造される直線状光出射側プリズム群８ｂは、プリズムの頂角部分が丸いものとなっていた。
【０００７】
又、先行技術文献である特開平７―２２５３２２号公報（以下、特許文献１という）には、導光板の片面に円弧軌道を描いた断面三角形の両側傾斜面を成す反射溝を複数形成する液晶表示用導光板の反射溝形成方法において、前記反射溝を形成するために、頂角が９０°の刃先を有し、該刃先の送り方向に幅を有するバイトを、前記導光板の金型を成型するためのマスター板の板面に垂直に立て、前記バイトの刃先の送り方向を一定にしたままで、該バイトを前記反射溝の所定の円弧軌道を描いて移動することにより、前記マスター板の板面に反射溝を刻削し、該マスター板によって成型した金型を用いて導光板を成型することを特徴とする液晶表示用導光板の反射溝形成方法が開示されている。
【０００８】
【発明が解決しようとする課題】
しかしながら、上記特許文献１の方法によって形成された液晶表示用導光板（平面証明装置）では、集光した光の方向（集光軸の方向）が円弧軌道に垂直であるため、円弧軌道の中心に近くなるほど、集光軸の方向の角度の違いが大きくなり、集光能力の誤差が生じることを、本願発明者らは発見した。
【０００９】
本発明は、従来の平面照明装置の課題を考慮し、集光能力の誤差を抑制することが可能な平面照明装置を提供することを目的とする。
【００１０】
【００１１】
【００１２】
【課題を解決するための手段】
第１の本発明は、光を発する光源と、光透過性材料で形成されており、前記光源からの光を入射し、内部の光を出射する光透過部とを備え、前記光透過部は、前記光源からの光を入射する第１の面と、その第１の面と実質上垂直であり、光を出射する第２の面とを有し、前記第２の面は、断面多角形状の角柱が複数個配列されたプリズム群から構成され、前記各角柱の稜線の全部または一部は、互いに、実質上同心円の円弧の関係にあり、前記各角柱の稜線は、少なくとも２点以上の、異なる中心の同心円の円弧の関係にあることを特徴とする平面照明装置である。
【００１３】
第２の本発明は、前記光透過部は、前記第１の面に実質上垂直、かつ、前記第２の面と実質上対向する位置に配置された第３の面を有し、その第３の面の全部または一部は、互いに、実質上同心円の複数の円弧を稜線とする、複数個の断面多角形状の角柱が配列されたプリズム群から構成され、前記光透過部内部の光を、実質上前記第２の面側に反射し、前記第３の面の各角柱の高さは、前記光源からの距離に基づいた高さであり、前記第３の面の各角柱の稜線の法線は、前記第２の面の各角柱の稜線の対応する法線に対して、実質上垂直であり、前記第３の面の各角柱の稜線は、少なくとも２点以上の、異なる中心の同心円の円弧の関係にあることを特徴とする第１の本発明の平面照明装置である。
【００１４】
第３の本発明は、前記光透過部は、前記第２の面の前記プリズム群の周辺に、その周辺部に届いた光を、前記光透過部内部に反射する平面反射部を備えたことを特徴とする第１の本発明の平面照明装置である。
【００１５】
第４の本発明は、前記光透過部は、前記第２の面の前記プリズム群、前記第３の面の前記プリズム群の少なくともいずれかの周辺に、その周辺部に届いた光を、前記光透過部内部に反射する平面反射部を備えたことを特徴とする第２の本発明の平面照明装置である。
第５の本発明は、前記第２の面の各角柱の斜面は、光学的に鏡面とみなすことができる光沢面であることを特徴とする第１又は第３の本発明の平面照明装置である。
第６の本発明は、前記第２の面および前記第３の面の各角柱の斜面は、光学的に鏡面とみなすことができる光沢面であることを特徴とする第２又は４の本発明の平面照明装置である。
第７の本発明は、前記平面反射部は、光学的に鏡面とみなすことができる光沢面であることを特徴とする第３又は４の本発明の平面照明装置である。
【００１６】
【発明の実施の形態】
以下に、本発明及び本発明に関連する発明の実施の形態を図面を参照して説明する。
【００１７】
（実施の形態１）
本発明に関連する発明の実施の形態１の平面照明装置の構成をその動作とともに、図１から図４の図面を参照して説明する。図１は、本発明に関連する発明の実施の形態１の平面照明装置の構成をあらわす斜視図である。図２は、その平面照明装置の断面図である。図３は、その平面照明装置の導光体２の同心円光出射側プリズム群８ａを形成するための金型の加工法を示した図である。図４は、その同心円光出射側プリズム群８ａの集光軸方向を示した図である。なお、本発明に関連する発明の実施の形態１の平面照明装置では、「従来の技術」で説明した、従来の平面照明装置の構成部分と同じ構成部分については、同一符号を付し、また、それらの説明を省略する。
【００１８】
図１および図２において、光源１は、高圧インバータ電源装置等によって発光し、光を放射する。その光源１からの光は、直接、または、反射鏡３で反射されて、導光体２の入射側面４に入射する。その光は、直接、または、全反射等を繰り返しながら、導光体２の中を有効照明範囲１３内で進み、光反射側プリズム群６の実質上鏡面な反射面で全反射されて、進行方向を変更され、光出射側の面７へ到達し、同心円光出射側プリズム群８ａの屈折による集光作用によって集光されて、導光体２を出射し、液晶パネル等の特定の視野角を持つ光パイプに入射する。
【００１９】
次に、本発明に関連する発明の実施の形態１の平面照明装置の導光体２の同心円光出射側プリズム群８ａについて、図面を参照しながら説明する。図３は、その同心円光出射側プリズム群８ａを製造するための金型の加工法を示している。図３に示すように、同心円光出射側プリズム群８ａを製造するための金型は、同心円の稜線を持つ、複数のプリズムから構成されたものであり、図３の実質上長方形で囲まれた板状の金属材料を、その金属材料の外部の所定の点を中心として回転させて、プリズム断面形状のバイトで切削加工し、複数の同心円の円弧を稜線とする、複数のプリズムを形成して作成されたものである。その同心円の半径が大きいので、その金型の各プリズムの稜線は、全体的に見て、大きく曲がっているようなことはない。また、その金型がプリズム断面形状のバイトで切削加工されているので、その金型の各プリズム頂角部分は、図３に示すように、丸くならず、実質上尖頂となっている。上述したように、金属材料を回転させて、プリズム断面形状のバイトで切削加工する方法を用いると、金型の各プリズム頂角部分を丸くすることなく、つまり、それら各プリズム頂角部分が実質上尖頂となるように、金型を加工することができる。したがって、上述した金型を用いて製造された同心円光出射側プリズム群８ａは、金型と実質上同等な、同心円の稜線を持つ、複数のプリズムから構成されたものとなる。その結果、同心円光出射側プリズム群８ａの各プリズムの稜線は、全体的に見て、大きく曲がっていないので、同心円光出射側プリズム群８ａは、光を出射する場合、実質上特定の方向の輝度を大きくすることができる。また、同心円光出射側プリズム群８ａの各プリズム頂角部分が丸くなく、実質上尖頂となっているので、同心円光出射側プリズム群８ａの集光効果は、「従来の技術」または「発明が解決しようとする課題」で述べたプリズムシートの集光効果とほぼ同等で、大きい。さらに、同心円光出射側プリズム群８ａの金型が、板状の金属材料を回転させて加工されたものであるから、従来の平面照明装置の直線状光出射側プリズム群８ｂの金型に比べて安価になっている。その結果、同心円光出射側プリズム群８ａを、直線状光出射側プリズム群８ｂに比べて安価で加工することができることになるので、実施の形態１の平面照明装置は、従来の平面照明装置に比べて、安価になる。
【００２０】
次に、本発明に関連する発明の実施の形態１の平面照明装置の導光体２の同心円光出射側プリズム群８ａの集光軸の方向について、図４を参照しながら説明する。図４において、１２は、同心円光出射側プリズム群８ａが集光した光の方向、いいかえれば、集光軸の方向を示している。集光軸の方向１２は、同心円光出射側プリズム群８ａの各プリズムの稜線方向に垂直であり、また、その方向は、同心円光出射側プリズム群８ａの位置によって変化し、同心円の中心に近くなるほど、その中心からの距離の違いに比べて、集光軸の方向１２の角度の違いが大きくなる。それについては、同心円光出射側プリズム群８ａの金型を構成する各プリズムの稜線の直径を大きくするように加工すると、その距離の違いに対する集光軸の方向１２の角度の違いを問題にしないですませるレベルにすることができる。
【００２１】
また、図８に示した、従来の平面照明装置の導光体２のプリズムシート１０は、その加工法から薄肉化しているため、各プリズムの間隔を０．０２４〜０．０５ｍｍ前後としているが、同心円光出射側プリズム群８ａでは、各プリズムの間隔は、最も薄肉の所でも０．５ｍｍ程度であるので、同心円光出射側プリズム群８ａは、各プリズムの間隔を大きくすることが可能になる。実際的には、そのプリズム間隔は、０．０５ｍｍ以上が望ましい。
【００２２】
次に、光反射側の面５に形成された光反射側プリズム群６について、図１を参照して説明する。光反射側プリズム群６は、上述した同心円光出射側プリズム群８ａと同様に、同心円の稜線を持つ、複数のプリズムから構成されたものであり、その光反射側プリズム群６の各プリズムの稜線の法線の方向が、上述した同心円光出射側プリズム群８ａの各プリズムの稜線の法線の方向と実質上垂直になるように、その同心円光出射側プリズム群８ａに対向するように配置されている。また、光反射側プリズム群６の各プリズムの高さは、光源１からの距離に応じて高くなっている。したがって、光反射側プリズム群６は、同心円光出射側プリズム群８ａが集光することができない、その同心円光出射側プリズム群８ａの各プリズムの稜線の接線の方向の光を同心円光出射側プリズム群８ａ側に反射することができる。つまり、導光体２は、２次元的に、効率よく集光することができるということである。
【００２３】
したがって、上述したように、実施の形態１の平面照明装置は、液晶パネル等の特定の視野角を持ったライトパイプに対して効率よく光を与えることができる。
【００２４】
また、実施の形態１の平面照明装置は、従来の平面照明装置に比べて安価で提供することができる。
【００２５】
なお、実施の形態１では、同心円光出射側プリズム群８ａを製造するための金型は、実質上長方形の板状の金属材料を、その金属材料の外部の所定の点を中心として回転させて、プリズム断面形状のバイトで切削加工し、複数の同心円の円弧を稜線とする、複数のプリズムを形成して作成されたものであるとしたが、同心円光出射側プリズム群８ａを製造するための金型は、実質上長方形の板状の金属型材料を、その金属材料の外部の所定の点を中心として回転させ、かつプリズム断面形状のバイトも同じ所定の点を中心として回転させて切削加工して作成されたものであってもよい。また、同心円光出射側プリズム群８ａを製造するための金型は、実質上長方形の板状の金属材料を所定の位置に配置し、その金属材料の外部の所定の点を中心としてプリズム断面形状のバイトを回転させて、金属材料を切削加工して作成されたものであってもよい。また、同心円光出射側プリズム群８ａを製造するための金型は、円盤状の金属材料、および／またはプリズム断面形状のバイトを回転させて、円盤状の金属材料をバイトで切削加工し、複数の同心円を稜線とする、複数のプリズムを形成し、その同心円の中心から放射する方向に、所定の幅で切断して作成されたものであるとしてもよい。この場合、その同心円光出射側プリズム群８ａの金型を大きな金属材料から切削加工すると、その金属材料から複数個の金型を切り分けることができるので、一度に複数個の金型を加工することができ、金型や補修用金型を安く作成できるという利点がある。また、同心円光出射側プリズム群８ａを製造するための金型は、円盤状の金属材料、および／またはプリズム断面形状のバイトを回転させて、金属材料を切削加工し、複数の同心円を稜線とする、複数のプリズムを形成して作成されたものであってもよい。この場合、その金型を用いて、光透過性材料から同心円を稜線とする複数のプリズムから構成される板状の光透過部を製造し、その板状の光透過部を、同心円の中心から放射する方向に、所定の幅で切断して、同心円光出射側プリズム群８ａを有する導光体２を製造しさえすればよい。
【００２６】
さらに、実施の形態１では、光反射側プリズム群６の各プリズムの高さは、光源１からの距離に応じて高くなっているとしたが、光反射側プリズム群６の各プリズムの高さは、光源１からの所定の距離までは、光源１からの距離に応じて高くなり、所定の距離をこえた後、光源１からの距離に応じて低くなっていてもよい。要するに、光反射側プリズム群６の各プリズムの高さは、光源１からの距離に基づいた高さでありさえすればよい。
【００２７】
（実施の形態２）
本発明の実施の形態２の平面照明装置の構成をその動作とともに、図５および図６を参照して説明する。なお、本発明の実施の形態２の平面照明装置と本発明に関連する発明の実施の形態１の平面照明装置との相違は、同心円光出射側プリズム群８ａと光反射側プリズム群６の部分のみであるので、実施の形態２では、その同心円光出射側プリズム群８ａと光反射側プリズム群６についてのみ説明する。
【００２８】
図５は、本発明の実施の形態２の平面照明装置の同心円光出射側プリズム群８ａの平面図である。図６は、その同心円光出射側プリズム群８ａの集光軸の方向１２を示した図である。
【００２９】
図５に示すように、同心円光出射側プリズム群８ａは、実施の形態１で示したような、同心円光出射側プリズム群８ａのような、互いに異なる２つの同心円光出射側プリズム群から構成されており、それら２つの同心円光出射側プリズム群は、同心円光出射側プリズム群８ａの上下半分ずつに配置されている。また、同心円光出射側プリズム群８ａを構成する、２つの同心円光出射側プリズム群の同心円の中心は、同心円光出射側プリズム群８ａを左右に２分割する直線上の所定の異なる点である。また、図６に示すように、上述した２つの同心円光出射側プリズム群の同心円の円弧の法線、つまり集光軸の方向１２が同じような方向となるように、同心円光出射側プリズム群８ａは、作られている。
【００３０】
つまり、同心円光出射側プリズム群８ａの金型は、互いに異なる２点を中心とした同心円の複数の円弧を稜線とするプリズムの集合体から構成される、２つの金型から形成され、その２つの金型から形成された金型を利用して、本発明の実施の形態２の同心円光出射側プリズム群８ａは、作られたものであるということである。
【００３１】
このように、実施の形態２の同心円光出射側プリズム群８ａが、互いに異なる２つの同心円光出射側プリズム群から構成されたものであるので、実施の形態１の同心円光出射側プリズム群８ａの左右または上下で見られた、同心円の円弧の曲率半径の誤差を少なくすることができる。すなわち、実施の形態２の同心円光出射側プリズム群８ａの同心円の円弧の曲率半径を実質上大きくすることができる。その結果、図６に示すように、同心円光出射側プリズム群８ａは、集光軸の方向１２の角度の誤差を少なくすることができ、同心円光出射側プリズム群８ａの場所に依存した集光能力の誤差を少なくすることができる。このように、実施の形態２の同心円光出射側プリズム群８ａを有する導光体２を備えた平面照明装置では、発する光の輝度が、ほとんど場所に依存することなく、実質上同等になっているので、実施の形態２の平面照明装置は、画面サイズの大きな映像表示装置に用いることができる効果がある。
【００３２】
また、同心円光出射側プリズム群８ａと同様に、光反射側プリズム群６も、互いに異なる２つの同心円光出射側プリズム群から構成されており、それら２つの同心円光出射側プリズム群は、光反射側プリズム群６の上下半分ずつに配置されており、その２つの同心円光出射側プリズム群の同心円の円弧のそれぞれの法線が、同じような方向となるように、光反射側プリズム群６は、作られている。そして、光反射側プリズム群６は、光反射側プリズム群６自身の各プリズムの稜線の法線の方向が、上述した同心円光出射側プリズム群８ａの各プリズムの稜線の法線の方向と実質上垂直になるように、その同心円光出射側プリズム群８ａに対向するように配置されている。
【００３３】
このように、実施の形態２の光反射側プリズム群６が、互いに異なる２つの同心円光出射側プリズム群から構成されたものであるので、実施の形態１の光反射側プリズム群６の左右または上下で見られた、同心円の円弧の曲率半径の誤差を少なくすることができる。すなわち、実施の形態２の光反射側プリズム群６の同心円の円弧の曲率半径を実質上大きくすることができる。その結果、光反射側プリズム群６は、同心円光出射側プリズム群８ａ側への光の反射の場所による誤差を少なくすることができる。
【００３４】
さらに、上述したように、実施の形態２の同心円光出射側プリズム群８ａおよび光反射側プリズム群６が、互いに異なる２つの同心円光出射側プリズム群から構成されたものであるので、その同心円光出射側プリズム群８ａまたは光反射側プリズム群６の金型それぞれを構成する２つの金型のひとつずつを小さくすることができたり、切削加工した円盤状の金型を有効に利用することができる効果があるのは無論である。
【００３５】
なお、図５および図６では、実施の形態２の同心円光出射側プリズム群８ａを構成する、互いに異なる２つの同心円光出射側プリズム群それぞれの同心円の中心は、異なる２つの同心円光出射側プリズム群の境界線の同じ側に配置されるように描かれているが、実施の形態２の同心円光出射側プリズム群８ａおよび光反射側プリズム群６それぞれを構成する、互いに異なる２つの同心円光出射側プリズム群それぞれの同心円の中心は、それぞれの異なる２つの同心円光出射側プリズム群の境界線の違う側に配置されていてもよい。要するに、同心円光出射側プリズム群８ａおよび光反射側プリズム群６それぞれを構成する、互いに異なる２つの同心円光出射側プリズム群の同心円の円弧のそれぞれの法線が、同じような方向となりさえすればよい。
【００３６】
また、実施の形態２の同心円光出射側プリズム群８ａおよび光反射側プリズム群６は、互いに異なる２つの点を中心とする同心円光出射側プリズム群から構成されるとしたが、同心円光出射側プリズム群８ａおよび光反射側プリズム群６は、互いに異なる３つの点を中心とする同心円光出射側プリズム群から構成されるものであってもよい。要するに、実施の形態２の同心円光出射側プリズム群８ａおよび光反射側プリズム群６は、互いに異なる２つ以上の点を中心とする同心円光出射側プリズム群から構成され、それぞれのプリズム群の各プリズムの法線がそれぞれ同じような方向となるようなものでありさえすればよい。要するに、実施の形態２の同心円光出射側プリズム群８ａおよび光反射側プリズム群６は、互いに異なる２つ以上の点を中心とする同心円光出射側プリズム群から構成され、それぞれのプリズム群の各プリズムの法線がそれぞれ同じような方向となるようなものでありさえすればよい。いいかえると、実施の形態２の同心円光出射側プリズム群８ａおよび光反射側プリズム群６を構成する各プリズムの稜線は、少なくとも２点以上の、異なる中心の同心円の関係にありさえすればよい。
【００３７】
（実施の形態３）
本発明の実施の形態３の平面照明装置の構成をその動作とともに、図７を参照して説明する。なお、本発明の実施の形態３の平面照明装置と本発明に関連する発明の実施の形態１または本発明の実施の形態２の平面照明装置との相違は、導光体２の一部に設けられたプリズム周辺平面部１４の部分のみであるので、実施の形態３では、そのプリズム周辺平面部１４についてのみ説明する。
【００３８】
図７は、本発明の実施の形態３の平面照明装置の斜視図である。１３は、導光体２が光を出射するさいの光を利用することができる導光体２内の範囲であり、有効照明範囲という。１４は、光反射側の面５に形成された光反射側プリズム群６と、光出射側の面７に形成された同心円光出射側プリズム群８ａの周辺部に設けられた平面部であり、プリズム周辺平面部という。
【００３９】
プリズム周辺平面部１４は、導光体２内部の光で、そのプリズム周辺平面部１４に届いた光を全反射して、有効照明範囲１３に戻らせる。そして、有効照明範囲１３に戻った光は、再利用されて同心円光出射側プリズム群８ａから外部に出射する。
【００４０】
このように、プリズム周辺平面部１４に届いた光、いいかえれば、有効照明範囲１３外部の無効範囲の光が再利用されるので、本発明の実施の形態３の平面照明装置は、総じて同心円光出射側プリズム群８ａから出射する光の輝度を高くすることができる。
【００４１】
さらに、プリズム周辺平面部１４を含めて、導光体２の外周部全域を、鏡面加工すると、光を拡散させることなく、光の指向性を狭くできるので、特定方向の輝度を高めることができる。
【００４２】
なお、実施の形態１、２および３では、光透過部として導光体２を用いた。
【００４３】
【発明の効果】
以上説明したところから明らかなように、本発明は、集光能力の誤差を抑制することが可能な平面照明装置を提供することができる。
【図面の簡単な説明】
【図１】  本発明に関連する発明の実施の形態１の平面照明装置の斜視図
【図２】  本発明に関連する発明の実施の形態１の平面照明装置の断面図
【図３】  本発明に関連する発明の実施の形態１の平面照明装置の導光体の同心円光射出側プリズム群を製造するための金型の加工法を示した図
【図４】  本発明に関連する発明の実施の形態１の平面照明装置の導光体の同心円光射出側プリズム群の集光軸方向を示した図
【図５】  本発明の実施の形態２の平面照明装置の導光体の同心円光射出側プリズム群の平面図
【図６】  本発明の実施の形態２の平面照明装置の導光体の同心円光射出側プリズム群の集光軸方向を示した図
【図７】  本発明の実施の形態３の平面照明装置の斜視図
【図８】  従来の平面照明装置の斜視図
【図９】  従来の平面照明装置の直線状光出射側プリズム群を製造するための金型を加工する場合の一般的な加工法を示す図
【符号の説明】
１    光源
２    導光体
３    反射鏡
４    入射側面
５    光反射側の面
６    光反射側プリズム群
７    光出射側の面
８ａ  同心円光出射側プリズム群
８ｂ  直線状光出射側プリズム群
９    拡散シート
１０    プリズムシート
１１    同心円光出射側プリズム群８ａまたは直線状光出射側プリズム群８ｂの稜線
１２    集光軸の方向
１３    有効照明範囲
１４    プリズム周辺平面部
【図１】
0004101328.tif 000002
【図２】
0004101328.tif 000003
【図３】
0004101328.tif 000004
【図４】
0004101328.tif 000005
【図５】
0004101328.tif 000006
【図６】
0004101328.tif 000007
【図７】
0004101328.tif 000008
【図８】
0004101328.tif 000009
【図９】
0004101328.tif 000010